(57)【要約】【課題】コストアップおよび器具効率の低下を招くことなく、パネル面のランプイメージを低減できる照明器具を提供する。【解決手段】ＬＥＤ光源２４が透光性パネル２２よりも上方に配設されており、ＬＥＤ光源２４からの光が透光性パネル２２に対して傾いて照射されるので、ＬＥＤ光源２４と透光性パネル２２との間の距離を確保できる。このため、従来設けられていたような拡散性のパネル等の別部品を設ける必要がないので、コストアップおよび器具効率の低下を招くことなく、透光性パネル２２におけるランプイメージを低減できる。また、ＬＥＤ光源２４が透光性パネル２２よりも上方に配設されているので、透光性パネル２２における輝度を抑えるとともに、不快なグレアを低減できる。また、灯具本体２１の上部に蓋部２３が着脱可能に設けられているので、蓋部２３を取り外すことにより、メンテナンスが容易になる。【選択図】図３
2012129162.tif 000002
【特許請求の範囲】
【請求項１】
複数のＬＥＤ光源と、
前記ＬＥＤ光源を収容する灯具と、を有し、
前記灯具が、上方が開口し側面に透光性パネルを有する筒状の灯具本体と、前記開口を覆う着脱可能な蓋部とを有するとともに、
前記ＬＥＤ光源が、前記透光性パネルよりも上方において当該透光性パネルに対して傾いて照射する向きに取り付けられている照明器具。
【請求項２】
請求項１に記載の照明器具において、
前記ＬＥＤ光源が、前記蓋部の内側に配設されている照明器具。
【請求項３】
請求項１または請求項２に記載の照明器具において、
前記蓋部の内側に上方に向かって細くなる錐台形状の取付板を有し、前記ＬＥＤ光源が前記取付板の内面に取り付けられている照明器具。
【発明の詳細な説明】
【技術分野】
【０００１】
本発明は、ＬＥＤ光源を用いて路面等を照射する外灯に好適な照明器具に関するものである。
【背景技術】
【０００２】
従来より、ＬＥＤ光源を用いた外灯（防犯灯）が知られている（例えば、特許文献１参照）。
図６に示すように、特許文献１に記載の防犯灯１００は、屋外に立設された電柱１０１等の上部に取り付けられて下方の路面等を照明するものであり、光源部１０２と、この光源部１０２を収納する防犯灯本体１０３とを有する。
【０００３】
防犯灯本体１０３には、光源部１０２として、街路進行方向Ａを照射する第１ＬＥＤユニット１０４、街路進行方向Ａと反対の方向を照射する第２ＬＥＤユニット１０５および街路進行方向Ａと略直交する路面側の方向Ｂを照射する第３ＬＥＤユニット１０６の少なくとも３つのＬＥＤユニットが取り付けられている。また、防犯灯本体１０３における光源部１０２の前方には、光透過性のグローブ１０８が取り付けられている。
【０００４】
防犯灯本体１０３は、電柱１０１の外周面１０１Ａに沿った円弧状の背面１０７Ａを有するとともに、部分球面状に突出したユニット取付部１０７を有する。第１ＬＥＤユニット１０４、第２ＬＥＤユニット１０５および第３ＬＥＤユニット１０６は、ユニット取付部１０７の表面１０７Ｂに、各々個別に取付角度を調整可能に取り付けられる。
これにより、電柱１０１の前方（路面側）において、配光を簡単に調整することができるようになっている。
【０００５】
また、図７に示すように、支柱１１１の周囲全周に亘って照明するタイプの外灯１１０では、支柱１１１の上端部に灯具１１２が取り付けられている。灯具１１２は、外周面に透光性のパネル１１３を有し、内部に筒状のＬＥＤ取付部１１４を有する。ＬＥＤ取付部１１４の外周面には、全周に亘って複数のＬＥＤ光源１１５が取り付けられている。
これにより、外灯１１０の周囲全周に亘って路面を照明することができる。
【先行技術文献】
【特許文献】
【０００６】
【特許文献１】特開２００８−２１０６５５号公報（第２図）
【発明の概要】
【発明が解決しようとする課題】
【０００７】
しかしながら、前述した図６に示した防犯灯１００や図７に示した外灯１１０においては、ＬＥＤユニット１０４〜１０６やＬＥＤ光源１１５（以後、「光源」という。）が、グローブ１０８や透光性パネル１１３（以後、「パネル等」という。）に近接した位置において、パネル等に略垂直に照射するように設けられている。
【０００８】
このため、光源とパネル等との間の距離が短く、パネル等に光源のイメージが強く表れるという問題があった。
また、この問題を解決するために、従来より光源とパネル等との間に拡散性のパネルを設けることが行われているが、この場合には、コストアップおよび器具効率の低下を招くという問題がある。
【０００９】
本発明は、従来の問題を解決するためになされたもので、コストアップおよび器具効率の低下を招くことなく、パネル面のランプイメージを低減できる照明器具を提供することを目的とする。
【課題を解決するための手段】
【００１０】
本発明の照明器具は、複数のＬＥＤ光源と、前記ＬＥＤ光源を収容する灯具と、を有し、前記灯具が、上方が開口し側面に透光性パネルを有する筒状の灯具本体と、前記開口を覆う着脱可能な蓋部とを有するとともに、前記ＬＥＤ光源が、前記透光性パネルよりも上方において当該透光性パネルに対して傾いて照射する向きに取り付けられたものである。
【００１１】
また、本発明の照明器具は、前記ＬＥＤ光源が、前記蓋部の内側に配設されたものである。
【００１２】
さらに、本発明の照明器具は、前記蓋部の内側に上方に向かって細くなる錐台形状の取付板を有し、前記ＬＥＤ光源が前記取付板の内面に取り付けられたものである。
【発明の効果】
【００１３】
本発明は、ＬＥＤ光源が透光性パネルよりも上方に配設されており、ＬＥＤ光源からの光が透光性パネルに対して傾いて照射されるので、ＬＥＤ光源と透光性パネルとの間の距離を確保できる。このため、拡散性のパネル等の別部品を設けないので、コストアップおよび器具効率の低下を招くことなく、透光性パネルにおけるランプイメージを低減できるという効果を有する照明器具を提供できる。
【図面の簡単な説明】
【００１４】
【図１】本発明に係る実施形態の照明器具の全体図
【図２】灯具の正面図
【図３】蓋部を取り外した状態の灯具の正面図
【図４】灯具本体を上方から見た斜視図
【図５】（Ａ）は取付板を上方から見た斜視図であり、（Ｂ）は取付板を下方から見た斜視図
【図６】従来のＬＥＤを用いた防犯灯の断面図
【図７】従来の外灯における問題点を示す正面図
【発明を実施するための形態】
【００１５】
以下、本発明に係る実施形態の照明器具について、図面を用いて説明する。
図１に示すように、本発明に係る実施形態の照明器具１０は、路面１１等を照明する外灯に好適であり、路面１１に立設された支柱３０と、支柱３０の上端部に設けられた灯具２０を有する。
【００１６】
図２および図３に示すように、灯具２０は、上方が開口（開口部２１１、図４参照）し側面に透光性パネル２２を有する筒状の灯具本体２１と、灯具本体２１の開口部２１１を覆う着脱可能な蓋部２３とを有する。
【００１７】
図４に示すように、灯具本体２１は、例えば、上端に六角形のフレーム状の上フレーム２１２と、下端に六角形のフレーム状の下フレーム２１３とを有しており、上フレーム２１２と下フレーム２１３との間を６本の縦フレーム２１４で連結している。上フレーム２１２は下フレーム２１３よりも大きく形成されており、灯具本体２１は、全体として、上部に比して下部が若干細い筒状を呈している。
隣接する縦フレーム２１４間には、透光性パネル２２が嵌め込まれる。透光性パネル２２は、灯具本体２１の上方から内側に嵌め込むように一体的に形成することができるが、各縦フレーム２１４間毎に、６枚の透光性パネル２２を嵌めるように構成することもできる。
【００１８】
図２および図３に示すように、灯具本体２１の上フレーム２１２の内側には、ＬＥＤ光源２４を灯具本体２１の内部に取り付けるための取付板２５が、ねじ等により取り外し可能に取り付けられる。
図５に示すように、取付板２５は、灯具本体２１に対応して六角形の天板２５１を有しており、天板２５１の周囲から斜め下方に向かって拡がるように、６枚の側板２５２が傾斜して設けられている。
従って、取付板２５は、下方に開口した六角錐台形状を呈している。なお、取付板２５の天板２５１の上面中央には、上に向けて取付ねじ２５３が植設されている。
【００１９】
取付板２５の各側板２５２の内面には、各々ＬＥＤ光源２４が取り付けられている。すなわち、ＬＥＤ光源２４は透光性パネル２２よりも上方で、蓋部２３の内側に取り付けられており、ＬＥＤ光源２４からの光は、斜め下方に向けて照射される（図２中矢印参照）。このため、光は透光性パネル２２に対して傾いて照射されることになる。
【００２０】
図２および図３に示すように、ＬＥＤ光源２４に電力を供給する電線（図示省略）は、路面１１から支柱３０の内部空間を通って灯具２０に配線され、灯具本体２１の縦フレーム２１４に沿ってあるいは内部を通って配線されて、ＬＥＤ光源２４に接続される。
なお、ＬＥＤ光源２４を点灯させるための電源装置（図示省略）は、灯具本体２１の下部や、取付板２５の上部等に設けることができる。
【００２１】
図３に示すように、灯具本体２１の上側には、蓋部２３が着脱可能に設けられている。蓋部２３は、下方に、灯具本体２１に対応した六角形の開口部２３１を有し、上方に向かって尖るように６枚の側板２３２が設けられている。各側板２３２の上端には、取付孔２３３が設けられている。
蓋部２３には、取付板２５の取付けねじ２５３に螺合するネジ穴（図示省略）を有するぎぼし２６が付属している。
【００２２】
従って、蓋部２３を灯具本体２１の上部に取り付けられている取付板２５の上から被せ、取付板２５の取付けねじ２５３を蓋部２３の取付孔２３３に挿通させて、取付ねじ２５３にぎぼし２６を締結することにより、蓋部２３は灯具本体２１に取り付けられる。
また、ぎぼし２６を外すことにより、蓋部２３を灯具本体２１から取り外すことができる。
【００２３】
以上、説明した本発明に係る実施形態の照明器具１０によれば、ＬＥＤ光源２４が透光性パネル２２よりも上方に配設されており、ＬＥＤ光源２４からの光が透光性パネル２２に対して傾いて照射されるので、ＬＥＤ光源２４と透光性パネル２２との間の距離を確保できる。このため、従来設けられていたような拡散性のパネル等の別部品を設ける必要がないので、コストアップおよび器具効率の低下を招くことなく、透光性パネル２２におけるランプイメージを低減できる。
また、ＬＥＤ光源２４が透光性パネル２２よりも上方に配設されているので、透光性パネル２２における輝度を抑えるとともに、不快なグレアを低減できる。
また、灯具本体２１の上部に蓋部２３が着脱可能に設けられているので、蓋部２３を取り外すことにより、容易にメンテナンスを行うことができる。
【００２４】
また、ＬＥＤ光源２４が、蓋部２３の内側に配設されているので、灯具本体２１を大きくすることなく、ＬＥＤ光源２４と透光性パネル２２との間の距離を確保でき、コストアップおよび器具効率の低下を招くことなく、透光性パネル２２におけるランプイメージを低減できる。
【００２５】
また、蓋部２３の内側には、上方に向かって細くなる錐台形状の取付板２５が設けられており、ＬＥＤ光源２４が、取付板２５の内面に取り付けられている。
このため、ＬＥＤ光源２４は、透光性パネル２２よりも上方において、透光性パネル２２に対して傾いて光を照射することができる。
【００２６】
なお、本発明の照明器具は、前述した実施形態に限定されるものでなく、適宜な変形，改良等が可能である。
例えば、前述した実施形態においては、灯具本体２１，蓋部２３および取付板２５の断面形状が六角形の場合を例示したが、そのほか、円形やその他の多角形の場合にも適用可能である。
また、前述した実施形態においては、取付板２５の各側板２５２の内面に、各々１個のＬＥＤ光源２４を設けた場合を例示したが、各側板２５２に複数のＬＥＤ光源２４を設けることもできる。
【符号の説明】
【００２７】
１０  照明器具
２０  灯具
２１  灯具本体
２１１  開口部
２２  透光性パネル
２３  蓋部
２４  ＬＥＤ光源
２５  取付板
【図１】
2012129162.tif 000003
【図２】
2012129162.tif 000004
【図３】
2012129162.tif 000005
【図４】
2012129162.tif 000006
【図５】
2012129162.tif 000007
【図６】
2012129162.tif 000008
【図７】
2012129162.tif 000009